(57)【要約】【課題】ドア錠の操作し忘れを生じ難くすることができるドア錠制御システムを提供する。【解決手段】第１ドア２ａにおいてドア錠３ａがスマート操作等により施錠されると、それを第２ドア２ｂに通知する作動信号Ｓａが第１ドア２ａから通信線１３を通じて第２ドア２ｂに出力される。作動信号Ｓａは、第１ドア２ａが解錠から施錠に切り替えられたことを通知する情報の一種である。第２ドア２ｂで作動信号Ｓａを入力すると、その作動信号Ｓａに基づいて第２ドア２ｂのドア錠３ｂが施錠される。すなわち、第２ドア２ｂのドア錠３ｂが第１ドア２ａのドア錠３ａに連動して施錠される。【選択図】図１
2016098571.tif 000002
【特許請求の範囲】
【請求項１】
建物のドアに設けられたドア錠を電子キーによって無線により作動可能であり、通信線で連結された他のドアのドア錠も、同じ前記電子キーで作動することが可能なドア錠制御システムにおいて、
前記ドア錠の操作が実行された第１ドアに設けられ、当該操作がなされた旨の作動信号を、前記通信線によって連結された他の第２ドアに出力する情報出力部と、
前記第２ドアにおいて前記作動信号を入力すると、当該作動信号を基に第１ドアと同様の作動を前記第２ドアにおいて実行させる作動実行部と
を備えたことを特徴とするドア錠制御システム。
【請求項２】
前記第１ドアでの操作は、室外から前記ドア錠を施錠する操作である
ことを特徴とする請求項１に記載のドア錠制御システム。
【請求項３】
前記第１ドアにおいて前記ドア錠の操作が行われたとき、第２ドアも同様の操作を実施してもよいかどうかをユーザに対して確認する確認処理部を備え、
前記情報出力部は、前記確認処理部において当該ドア錠を作動してもよいという確認がとれたとき、前記作動信号を前記第２ドアに出力する
ことを特徴とする請求項１又は２に記載のドア錠制御システム。
【請求項４】
前記情報出力部は、前記電子キーを介しての無線による前記ドア錠の作動のみならず、前記ドア錠を機械的な操作によって切り替えるメカニカルキー、又は前記ドアに設けられたサムターンにより、前記ドア錠が作動されたときも、前記作動信号を前記第２ドアに出力して、当該第２ドアのドア錠の作動を前記第１ドアのドア錠に連動させる
ことを特徴とする請求項１〜３のうちいずれか一項に記載のドア錠制御システム。
【請求項５】
前記第２ドアに前記情報出力部を設け、前記第１ドアに前記作動実行部を設けることにより、前記第２ドアで前記ドア錠の操作が実行されたときに、前記第１ドアのドア錠を前記第２ドアのドア錠に連動させる
ことを特徴とする請求項１〜４のうちいずれか一項に記載のドア錠制御システム。
【発明の詳細な説明】
【技術分野】
【０００１】
本発明は、ドア錠の作動を制御するドア錠制御システムに関する。
【背景技術】
【０００２】
従来、建物のドアに設けられたドア錠の施解錠を制御するドア錠制御システムが周知である（特許文献１等参照）。このドア錠制御システムでは、ドア錠の作動に電子キーの操作を課さないキーフリー操作によって、ドア錠を施解錠することが可能である。
【先行技術文献】
【特許文献】
【０００３】
【特許文献１】特開２００７−１６２３１０号公報
【発明の概要】
【発明が解決しようとする課題】
【０００４】
ところで、１つの電子キーを複数のドアのキーとして使用したいニーズがある。これを実現するにあたり、例えば建物に設けられた複数のドアを通信線で接続しておき、１つのドアに電子キーを登録すると、この電子キーが他のドアにも自動的に登録される技術が検討されている。このシステムを使用すれば、１回の登録作業によって、複数のドアに電子キーを登録することができるので、登録作業が楽になる利点がある。
【０００５】
しかし、この技術によって電子キー登録の利便性がよくなったとしても、それぞれのドアを施解錠するにあたっては、各ドアを１つひとつ電子キーを介して操作していく必要がある。このため、例えば外出するときに、玄関ドアを電子キーで施錠しても、勝手口ドアを施錠し忘れる状況も発生し得る。よって、ドア錠の操作忘れに対処できる技術開発のニーズがあった。
【０００６】
本発明の目的は、ドア錠の操作し忘れを生じ難くすることができるドア錠制御システムを提供することにある。
【課題を解決するための手段】
【０００７】
前記問題点を解決するドア錠制御システムは、建物のドアに設けられたドア錠を電子キーによって無線により作動可能であり、通信線で連結された他のドアのドア錠も、同じ前記電子キーで作動することが可能な構成において、前記ドア錠の操作が実行された第１ドアに設けられ、当該操作がなされた旨の作動信号を、前記通信線によって連結された他の第２ドアに出力する情報出力部と、前記第２ドアにおいて前記作動信号を入力すると、当該作動信号を基に第１ドアと同様の作動を前記第２ドアにおいて実行させる作動実行部とを備えた。
【０００８】
本構成によれば、第１ドアにおいてドア錠の作動が実行されると、それを第２ドアに通知するための作動信号が第１ドアから通信線を通じて第２ドアに出力される。第２ドアで作動信号を入力すると、その作動信号に基づいて第２ドアのドア錠が作動される。すなわち、第２ドアのドア錠の作動が第１ドアのドア錠の作動に連動する。よって、ドア錠の操作し忘れを生じ難くすることが可能となる。
【０００９】
前記ドア錠制御システムにおいて、前記第１ドアでの操作は、室外から前記ドア錠を施錠する操作であることが好ましい。この構成によれば、室外から第１ドアのドア錠を施錠するとき、他のドアについて施錠忘れを生じ難くすることが可能となる。
【００１０】
前記ドア錠制御システムにおいて、前記第１ドアにおいて前記ドア錠の操作が行われたとき、第２ドアも同様の操作を実施してもよいかどうかをユーザに対して確認する確認処理部を備え、前記情報出力部は、前記確認処理部において当該ドア錠を作動してもよいという確認がとれたとき、前記作動信号を前記第２ドアに出力することが好ましい。この構成によれば、第１ドアのドア錠の作動に第２ドアのドア錠も連動させるにあたって、第２ドアのドア錠を連動させてもよいか否かをユーザに確認する。よって、第２ドアのドア錠を第１ドアのドア錠の作動に連動させたくない場合には、これに対応することが可能となる。
【００１１】
前記ドア錠制御システムにおいて、前記情報出力部は、前記電子キーを介しての無線による前記ドア錠の作動のみならず、前記ドア錠を機械的な操作によって切り替えるメカニカルキー、又は前記ドアに設けられたサムターンにより、前記ドア錠が作動されたときも、前記作動信号を前記第２ドアに出力して、当該第２ドアのドア錠の作動を前記第１ドアのドア錠に連動させることが好ましい。この構成によれば、第１ドアにおいてメカニカルキーやサムターンでドア錠を操作した場合であっても、第２ドアのドア錠を連動させることが可能となるので、ドア錠の操作し忘れの防止に一層有利となる。また、施解錠操作の利便性の確保にも有利となる。
【００１２】
前記ドア錠制御システムにおいて、前記第２ドアに前記情報出力部を設け、前記第１ドアに前記作動実行部を設けることにより、前記第２ドアで前記ドア錠の操作が実行されたときに、前記第１ドアのドア錠を前記第２ドアのドア錠に連動させることが好ましい。この構成によれば、第２ドアのドア錠を操作したときに、第１ドアのドア錠がこれに連動することになるので、ドア錠の操作し忘れの防止に一層有利となる。また、施解錠操作の利便性の確保にも有利となる。
【発明の効果】
【００１３】
本発明によれば、ドア錠制御システムにおいて、ドア錠の操作し忘れを生じ難くすることができる。
【図面の簡単な説明】
【００１４】
【図１】第１実施形態のドア錠制御システムの構成図。
【図２】電子キーをドアに登録するときの作動図。
【図３】第１ドアの施錠時に第２ドアも連動して施錠されるときの作動図。
【図４】第２実施形態のドア錠制御システムの作動図。
【発明を実施するための形態】
【００１５】
（第１実施形態）
以下、ドア錠制御システムの第１実施形態を図１〜図３に従って説明する。
図１に示すように、建物１は、建物１のドア２に設けられたドア錠３を電子キー４によって無線により作動可能なドア錠制御システム５を備える。ドア錠制御システム５は、例えば建物１側からの通信を契機に狭域無線（通信距離：数ｍ）によってＩＤ照合を実行してドア錠３を制御するキー操作フリーシステムと、電子キー４側からの通信を契機に狭域無線（通信距離：数ｍ）によりＩＤ照合を実行してドア錠３を制御するワイヤレスキーシステムとを含むことが好ましい。ドア錠制御システム５は、例えばドア錠３の施錠及び施錠の両方を制御するものであることが好ましい。
【００１６】
なお、以降は、キー操作フリーシステムによるドア錠３の操作を「キーフリー操作（スマート操作）」と記し、ワイヤレスキーシステムによるドア錠３の操作を「遠隔操作（ワイヤレス操作）」と記す。また、キー操作フリーシステムの通信を「スマート通信」と記し、その通信で実行されるＩＤ照合を「スマート照合」と記し、ワイヤレスキーシステムの通信を「ワイヤレス通信」と記し、その通信で実行されるＩＤ照合を「ワイヤレス照合」と記す。
【００１７】
キー操作フリーシステムの通信は、例えば建物１→電子キー４の通信にＬＦ（Low Frequency）帯の電波が使用され、電子キー４→建物１の通信にＵＨＦ（Ultra High Frequency）帯の電波が使用される。キーフリー操作は、例えば電子キー４を実際に操作しなくても、スマート照合が成立すれば、ドア錠３の作動が許可又は実行される操作となっている。なお、本例の場合は、ドア２に設けられたドア錠操作部６の操作がトリガとなって、ドア錠３の施解錠が切り替えられる。ドア錠操作部６は、例えば押圧スイッチであるとよい。
【００１８】
電子キー４は、電子キー４の動作を制御するキー制御部７と、電子キー４において電波を受信する受信アンテナ８と、電子キー４において電波を送信する送信アンテナ９とを備える。キー制御部７のメモリ１０には、電子キー４の固有ＩＤである電子キーＩＤが書き込み保存されている。受信アンテナ８は、例えばＬＦ電波を受信する。送信アンテナ９は、例えばＵＨＦ電波を送信する。
【００１９】
電子キー４は、ドア２を遠隔操作（ワイヤレス操作）によって解錠するときに操作する解錠ボタン１１と、ドア２を遠隔操作（ワイヤレス操作）によって施錠するときに操作する施錠ボタン１２とを備える。解錠ボタン１１及び施錠ボタン１２は、例えばプッシュボタンからなり、例えばオン信号やオフ信号などの操作信号をキー制御部７に出力する。
【００２０】
ドア２は、例えば１つ又は複数の建物１において複数（本例は２つ）設けられている。本例の場合、これらドア２を第１ドア２ａ及び第２ドア２ｂと記す。第１ドア２ａ及び第２ドア２ｂは、建物１に設けられた通信線１３によって連結されている。これにより、第１ドア２ａ及び第２ドア２ｂは、通信線１３を通じて各種信号の送受信が可能となっている。通信線１３は、例えばＬＡＮ（Local Area Network）であるとよい。
【００２１】
ドア錠制御システム５は、前述のドア錠３及びドア錠操作部６と、ドア錠制御システム５の作動を制御するコントローラ１４と、ドア２の周囲に電波を送信する送信アンテナ１５と、ドア２の周囲で電波を受信する受信アンテナ１６とを備える。ドア錠３、ドア錠操作部６、コントローラ１４、送信アンテナ１５及び受信アンテナ１６のユニットは、各ドア２（第１ドア２ａ及び第２ドア２ｂ）の各々に設けられる。コントローラ１４のメモリ１７には、ドア２に登録された電子キー４のＩＤ（電子キーＩＤ）が書き込み保存されている。送信アンテナ１５は、例えばＬＦ電波を送信する。受信アンテナ１６は、例えばＵＨＦ電波を送信する。送信アンテナ１５及び受信アンテナ１６は、例えばドア２又は建物壁に配設されている。ドア錠３は、例えばアクチュエータを駆動源にデッドボルトを出し入れする電気錠からなる。コントローラ１４は、例えば基板上にＩＣ及びチップ類の各種素子が実装された制御盤である。ドア錠操作部６は、例えば操作される度にドア錠３の施解錠が交互に切り替わる施解錠スイッチであるとよい。
【００２２】
ドア錠制御システム５は、電子キー４をドア２に登録するときの動作を管理する登録実行部１８を備える。登録実行部１８は、ドア２のコントローラ１４に設けられている。本例の場合、第１ドア２ａのものを登録実行部１８ａとし、第２ドア２ｂのものを登録実行部１８ｂとする。登録実行部１８は、通信線１３を通じて電気的に連結された複数のドア２のうち、ある１つのドア２に電子キー４を登録するとき、その電子キー４の電子キーＩＤを、通信線１３を通じて他のドア２にも登録することにより、電子キー４を複数のドア２で共用可能にするように作動する。
【００２３】
ドア錠制御システム５は、電子キー４で第１ドア２ａのドア錠３ａを作動させた際に第２ドア２ｂのドア錠３ｂも連動して作動されるドア錠連動機能を備える。本例のドア錠連動機能は、例えば玄関ドアの位置付けの第１ドア２ａが施錠された際に、例えば勝手口ドアの位置付けの第２ドア２ｂを連動して施錠するものとされている。
【００２４】
ドア錠制御システム５は、第１ドア２ａでドア錠３ａが作動されたとき、その旨を通知する作動信号Ｓａを他のドア２に通信線１３を通じて出力する情報出力部２１を備える。情報出力部２１は、第１ドア２ａのコントローラ１４ａに設けられる。情報出力部２１は、第１ドア２ａのドア錠３ａが操作されたとき、操作がなされた旨の作動信号Ｓａを、通信線１３によって連結された第２ドア２ｂに出力する。作動信号Ｓａは、第１ドア２ａにおいてどのような錠操作が行われたのかを第２ドア２ｂに通知する信号である。
【００２５】
ドア錠制御システム５は、情報出力部２１から取得した作動信号Ｓａを基に第２ドア２ｂのドア錠３ｂを作動する作動実行部２２を備える。作動実行部２２は、第２ドア２ｂのコントローラ１４ｂに設けられる。作動実行部２２は、情報出力部２１から作動信号Ｓａを入力すると、作動信号Ｓａを基に第１ドア２ａと同様の作動を第２ドア２ｂにおいて実行させる。本例の場合、作動実行部２２は、「第１ドア２ａが施錠された旨」の作動信号Ｓａを情報出力部２１から入力すると、作動信号Ｓａの入力を契機に、第２ドア２ｂのドア錠３ｂを自動で施錠する。
【００２６】
次に、図２及び図３を用いて、ドア錠制御システム５の動作を説明する。
図２に、電子キー４をドア２に登録するときの動作概要を図示する。ここでは、例えば電子キー４を第１ドア２ａに登録する場合を例にとる。電子キー４を第１ドア２ａに登録するにあたって、まず第１ドア２ａの動作モードを「登録モード」に切り替える。登録モードへの切り替えは、例えばドア錠操作部６を所定の操作パターンで操作したり、コントローラ１４に設けられた専用のスイッチを操作したりすることにより、実現するとよい。これにより、第１ドア２ａの登録実行部１８ａが動作を開始する。
【００２７】
登録実行部１８ａは、登録モードに切り替わると、第１ドア２ａ及び電子キー４の間で、キー操作フリーシステムの通信網を利用した通信（キー登録通信）を実行する。キー登録通信は、例えば登録モードとなったコントローラ１４と電子キー４とが実行可能な通信であって、一般的なスマート通信、電子キー４及びコントローラ１４の通信規格が一致するか否かを確認する通信、セキュリティ性を確保するために暗号通信などの適用が想定される。登録実行部１８ａは、このキー登録通信において電子キー４から電子キーＩＤを取得すると、この電子キーＩＤを第１ドア２ａのメモリ１７に書き込むことにより、電子キー４を第１ドア２ａに登録する。
【００２８】
第１ドア２ａに電子キー４の登録が済むと、第１ドア２ａが「マスタドア」となって、第２ドア２ｂの「従属ドア」に、電子キー４を登録する作業を実行する。このとき、登録実行部１８ａは、建物１内の通信線１３を通じて、電子キーＩＤ登録要求Ｓdemを第２ドア２ｂに出力する。電子キーＩＤ登録要求Ｓdemには、登録時に第１ドア２ａ及び電子キー４で実行されたキー登録通信において取得した電子キーＩＤと、電子キーＩＤの紐付けを要求するコマンドとが含まれるとよい。第２ドア２ｂの登録実行部１８ｂは、第１ドア２ａから電子キーＩＤ登録要求Ｓdemを入力すると、これに含まれる電子キーＩＤを第２ドア２ｂのメモリ１７に書き込むことにより、電子キー４を第２ドア２ｂに登録する。
【００２９】
図３に、ドア２（第１ドア２ａ）と電子キー４との間で実行されるスマート通信の具体例を図示する。同図に示されるように、スマート通信のエリア（スマート通信エリアＥａ）は、ドア２（第１ドア２ａ）を中心としたドア周囲一帯に形成される。このように、本例のスマート通信エリアＥａは、建物１の室内外に亘って一帯に形成される。スマート通信は、定期的（ある一定の繰り返し周期）、又はトリガ入力（一例はドア錠操作部６の操作）を条件に実施されるとよい。
【００３０】
電子キー４が送信アンテナ１５のスマート通信エリアＥａに進入すると、ドア２及び電子キー４の間でスマート通信が実行される。具体的には、送信アンテナ１５から送信されたウェイク信号を電子キー４が受信すると、電子キー４が起動してアックをＵＨＦ電波により返信し、続く通信課程において、ドアＩＤ照合、チャレンジレスポンス認証、電子キーＩＤ照合の各種照合を実行する。ドアＩＤ照合は、各ドア２の固有ＩＤであるドアＩＤ（図示略）を電子キー４に送信し、電子キー４にドアＩＤを確認させる照合である。チャレンジレスポンス認証は、送信の度にコードが毎回変わるチャレンジコードをドア２から電子キー４に送信して電子キー４の暗号鍵に通し、このレスポンスコードをドア２に返信させ、ドア２において同様に演算したレスポンスコードにより、電子キー４のレスポンスコードの正当性を確認する照合である。電子キーＩＤ照合は、電子キー４に登録された電子キーＩＤの正当性をドア２で確認する照合である。これら照合が全て成立することが確認されると、スマート照合が成立とされる。
【００３１】
コントローラ１４ａは、ドア錠３ａが解錠されている状況下において、第１ドア２ａの施錠操作（一例はドア錠操作部６の操作）が実行されたことを検出すると、スマート照合が成立することを条件に、ドア錠３ａを施錠に切り替える。すなわち、キーフリー操作（スマート操作）によってドア錠３ａが施錠される。なお、第１ドア２ａの施錠操作は、電子キー４に設けられた施錠ボタン１２が操作（ワイヤレス操作）されることにより実行されてもよい。ドア錠３ａが施錠の作動をとると、それに連動してドア２のサムターン２４も施錠位置まで回る。
【００３２】
情報出力部２１は、第１ドア２ａにおいてドア錠３ａが施錠されたことを確認すると、その旨を第２ドア２ｂに通知する作動信号Ｓａを、通信線１３を通じて第２ドア２ｂに出力する。本例の作動信号Ｓａは、第１ドア２ａがスマート操作によって施錠されたことを第２ドア２ｂに通知する信号である。
【００３３】
第２ドア２ｂの作動実行部２２は、第１ドア２ａの情報出力部２１から作動信号Ｓａを入力すると、この作動信号Ｓａを基に、第２ドア２ｂのドア錠３ｂを作動させる。本例の場合、作動実行部２２は、解錠状態のドア錠３ｂを施錠に切り替える。これにより、第１ドア２ａでドア錠３ａを施錠したときには、第２ドア２ｂのドア錠３ｂもこれに連動して自動で施錠されるのである。
【００３４】
本実施形態の構成によれば、以下に記載の効果を得ることができる。
（１）第１ドア２ａにおいてドア錠３ａが施錠されると、それを第２ドア２ｂに通知する作動信号Ｓａが第１ドア２ａから通信線１３を通じて第２ドア２ｂに出力される。第２ドア２ｂで作動信号Ｓａを入力すると、その作動信号Ｓａに基づいて第２ドア２ｂのドア錠３ｂが施錠される。すなわち、第２ドア２ｂのドア錠３ｂが第１ドア２ａのドア錠３ａに連動して施錠される。よって、ドア錠３の操作し忘れを生じ難くすることができる。
【００３５】
（２）第１ドア２ａを室外から施錠したとき、第２ドア２ｂのドア錠３ｂが連動して施錠される。よって、例えば外出するときに第１ドア２ａを施錠するとき、他のドア２について施錠し忘れを生じ難くすることができる。
【００３６】
（３）第１ドア２ａ及び第２ドア２ｂが通信線１３で連結され、第１ドア２ａに登録された電子キー４のＩＤが、通信線１３を通じて第２ドア２ｂに送信されて、第２ドア２ｂに自動で登録される。よって、１回の登録作業で第１ドア２ａ及び第２ドア２ｂの両方に電子キーＩＤを登録することが可能となるので、楽な登録作業とすることができる。
【００３７】
（第２実施形態）
次に、第２実施形態を図４に従って説明する。本例は、第１ドア２ａの施錠に連動して第２ドア２ｂを施錠するにあたって、これをユーザに確認させた上で実行する実施例である。よって、第１実施形態と同一部分には同じ符号を付して詳しい説明を省略し、異なる部分についてのみ詳述する。
【００３８】
図４に示すように、ドア錠制御システム５は、第２ドア２ｂのドア錠３ｂの作動を第１ドア２ａのドア錠３ａに連動させてもよいか否かをユーザに確認する確認処理部２８を備える。確認処理部２８は、ドア錠３の操作が行われたドア２（本例は第１ドア２ａ）のコントローラ１４（本例はコントローラ１４ａ）に設けられる。確認処理部２８は、第１ドア２ａでドア錠３ａが作動されたとき、第２ドア２ｂに問い合わせをしてドア錠３ｂの現在状態を確認し、ドア錠３ｂを第１ドア２ａのドア錠３ａと連動させてもよいのかをユーザに対して確認する。
【００３９】
本例の場合、同図に示されるように、第１ドア２ａにおいてスマート操作等によって施錠操作が実行されると、コントローラ１４ａによって第１ドア２ａのドア錠３ｂが施錠に切り替えられる。このとき、確認処理部２８は、第２ドア２ｂのドア錠３ｂの現在状態を問い合わせ、その確認結果通知Ｓｂを、通信線１３を通じて確認する。確認処理部２８は、第２ドア２ｂのドア錠３ｂが解錠状態である旨の確認結果通知Ｓｂを受信すると、第２ドア２ｂのドア錠３ｂを作動させてもよいか否かの確認として、例えば第２ドア２ｂのドア錠３ｂが未施錠である旨をユーザに通知する。この通知としては、例えば「勝手口ドアが施錠されていません。施錠しますか？」などがある。
【００４０】
ユーザは、この通知を受けた後、第２ドア２ｂのドア錠３ｂを施錠したいのであれば、施錠操作を再実行する。この施錠再操作としては、スマート操作による施錠操作、電子キー４に設けられた施錠ボタン１２の操作などがある。いずれにせよ、確認処理部２８は、施錠再操作を入力すると、第２ドア２ｂのドア錠３ｂを第１ドア２ａと連動させる旨の作動信号Ｓａを、通信線１３を通じて第２ドア２ｂに出力させる。第２ドア２ｂの作動実行部２２は、第１ドア２ａから、ドア錠３ｂを施錠させる旨の作動信号Ｓａを入力すると、作動信号Ｓａの入力を契機に第２ドア２ｂのドア錠３ｂを施錠する。
【００４１】
本実施形態の構成によれば、第１実施形態の（１）〜（３）に加え、以下の効果を得ることができる。
（４）第２ドア２ｂのドア錠３ｂの施錠を第１ドア２ａのドア錠３ａに連動させるにあたって、第２ドア２ｂのドア錠３ｂを連動させてもよいか否かをユーザに確認する。よって、第２ドア２ｂの施錠を第１ドア２ａの施錠に連動させたくない場合には、これに対応することができる。すなわち、ユーザに意志に沿ったかたちで第１ドア２ａ及び第２ドア２ｂの施解錠を設定することができる。
【００４２】
なお、実施形態はこれまでに述べた構成に限らず、以下の態様に変更してもよい。
・各実施形態において、スマート操作のみならず、第１ドア２ａのドア錠３ａを機械的な操作によって切り替えるメカニカルキー、又はドア２に設けられたサムターン２４により、第１ドア２ａのドア錠３ａが作動されたときも、作動信号Ｓａを第２ドア２ｂに出力して、第２ドア２ｂのドア錠３ｂの作動を第１ドア２ａのドア錠３ａに連動させてもよい。この場合、第１ドア２ａにおいてメカニカルキーやサムターン２４でドア錠３ａを操作（施錠）した場合であっても、第２ドア２ｂのドア錠３ｂを第１ドア２ａのドア錠３ａに連動させることが可能となるので、ドア錠３の操作し忘れの防止に一層有利となる。また、施解錠操作の利便性の確保にも有利となる。
【００４３】
・各実施形態において、第２ドア２ｂに情報出力部２１を設け、第１ドア２ａに作動実行部２２を設けることにより、第２ドア２ｂでドア錠３ｂの操作が実行されたときに、第１ドア２ａのドア錠３ａを第２ドア２ｂのドア錠３ｂに連動させてもよい。よって、ドア錠３の操作し忘れの防止に一層有利となる。また、施解錠操作の利便性確保にも有利となる。
【００４４】
・各実施形態において、第１ドア２ａは、玄関ドアに限らず、他のドア２に変更することができる。また、第２ドア２ｂは、勝手口ドアに限らず、他のドア２に変更することができる。
【００４５】
・各実施形態において、作動信号Ｓａは、第１ドア２ａでドア錠３ａが操作されたことを第２ドア２ｂ等の他のドア２に伝えることができる情報であればよい。
・各実施形態において、室内からドア２が施錠操作されたとき、これに第２ドア２ｂの施錠を連動させてもよい。
【００４６】
・各実施形態において、連動させるドア錠３の作動は、施錠に限らず、解錠としてもよいし、施解錠以外の動作であってもよい。
・第２実施形態において、第１ドア２ａは、ドア錠３ａが作動された時点で第２ドア２ｂの施解錠状態を確認しにいくことに限定されない。例えば、第２ドア２ｂの施解錠状態を常時監視していて、第１ドア２ａでドア錠３ａの操作が行われたとき、その監視結果を基に直ちに確認動作に移行するようにしてもよい。
【００４７】
・各実施形態において、連結されるドア２の数は、いくつでもよい。
・各実施形態において、第１ドア２ａに連結されるドア２が複数の場合、第１ドア２ａの施解錠に連動されるドア２を、選択的に指定するものでもよい。すなわち、連結されたドア２の全てが第１ドア２ａの作動に連動するのではなく、特定のドア２のみ連動させてもよい。
【００４８】
・各実施形態において、本例の連動機能の有効無効を切り替え可能としてもよい。これを実現するにあたっては、例えば室内に設けられた制御盤において連動機能の有効又は無効の切り替え操作を実行可能とする例が挙げられる。こうすることで、必要に応じて連動機能の有効無効を適宜切り替えることができる。なお、制御盤は、ドア錠制御システム５を手動設定するために設けられた操作盤の一種であり、各ドア２のコントローラ１４を統括制御するためのものである。
【００４９】
・各実施形態において、コントローラ１４の送信アンテナ１５及び受信アンテナ１６は、一体アンテナでもよい。また、これは電子キー４の受信アンテナ８及び送信アンテナ９も同様である。
【００５０】
・各実施形態において、ドア錠操作部６は、押しボタンに限らず、他の形式のボタンやスイッチに変更可能である。
・各実施形態において、ドア錠制御システム５は、電子キー４側からの通信を契機にＩＤ照合を行ってドア錠３を作動させるワイヤレスキーシステムとしてもよい。
【００５１】
・各実施形態において、ドア錠制御システム５は、例えばＮＦＣ（Near Field Communication）、ＲＦＩＤ（Radio Frequency IDentification）、ブルートゥース（Bluetooth：登録商標）などの近距離無線通信（近接場型通信）としてもよい。
【符号の説明】
【００５２】
１…建物、２…ドア、２ａ…第１ドア、２ｂ…第２ドア、３（３ａ，３ｂ）…ドア錠、４…電子キー、５…ドア錠制御システム、１３…通信線、２１…情報出力部、２２…作動実行部、２４…サムターン、２８…確認処理部、Ｓａ…作動信号。
【図１】
2016098571.tif 000003
【図２】
2016098571.tif 000004
【図３】
2016098571.tif 000005
【図４】
2016098571.tif 000006